(57)【要約】【課題】回転軸と受け軸の軸孔の嵌合を容易とし、回転軸と受け軸の強度を向上させ、回転部材の操作の安定性を高める。【解決手段】発射装置１は、発射ハンドル２と、発射ハンドル２の軸方向に設けた断面が円形のハンドル軸３と、発射装置本体４に回動自在の取り付けられ、軸孔５の横断面が円形でありハンドル軸３が発射装置本体４に嵌め込まれる受け軸６と、を備え、ハンドル軸３及び受け軸６が一体的に回動し、受け軸６の軸方向に軸孔５を部分的に塞ぐように形成された閉塞部１１が、軸芯を通る軸方向の基準面Ｖに平行な第２の平面１２を備え、受け軸６の内側側面に、第２の平面１２に連続する、半円を超える円弧長を有する円弧形状の第２の曲面１３を備え、第２の曲面１３から軸孔５に対して突出する凸部１４を備え、第２の曲面１３側の受け軸部分１５を貫通するねじ孔１６を設け、ねじ孔１６にねじ１７を螺合させる。【選択図】        図４
2007283034.tif 000002
【特許請求の範囲】
【請求項１】
回転部材と、
該回転部材の軸方向に設けた断面が円形の回転軸と、
装置本体に回転自在の取り付けられ、軸孔の横断面が円形であり前記回転軸が前記軸孔に嵌め込まれる受け軸と、を備え、前記回転軸及び受け軸が一体的に回転する遊技機の軸受け構造において、
前記回転軸の軸端部に軸方向に形成される凹部が、軸芯を通る軸方向の基準面に平行な第１の平面を含み、
前記軸端部が、前記第１の平面に連続する、半円を超える円弧長を有する円弧形状の第１の曲面を備え、
前記受け軸の軸方向に前記軸孔を部分的に塞ぐように形成された閉塞部が、軸芯を通る軸方向の基準面に平行な第２の平面を備え、
前記受け軸の内側の側面に、前記第２の平面に連続する、半円を超える円弧長を有する円弧形状の第２の曲面を備え、
該第２の曲面から軸孔に対して突出する凸部を備えることを特徴とする遊技機の軸受け構造。
【請求項２】
前記第２の曲面側の受け軸部分を貫通するねじ孔を設け、該ねじ孔にねじを螺合させる請求項１の遊技機の軸受け構造。
【発明の詳細な説明】
【技術分野】
【０００１】
本発明は、遊技機の軸受け構造、例えば、ハンドルの発射力を調整する発射ハンドルに備えたハンドル軸等の嵌めこみ構造に関する。
【背景技術】
【０００２】
遊技機の軸受け構造は、各種の構造が提案されている。例えば、特許文献１の図８及び図９に示す通り、発射ハンドルのハンドル軸を嵌め込むため、係止体の軸支部の断面は非円形としている。ハンドル軸と係支体とが共動可能とされ、これによりバネの付勢力が調整され、遊技者が発射力を調整できるようになっている。また、特許文献２に記載の発明に示す通り、発射ハンドルのハンドル軸の先端軸構造は、切り欠かれた断面非円形の構造が提案されている。これにより、非円形の軸と軸受の嵌合構造によって、発射ハンドルの空転が防止されている。
【特許文献１】特開２００３−１０２９４２号公報
【特許文献２】特開平８−６６５１７号公報
【発明の開示】
【発明が解決しようとする課題】
【０００３】
しかしながら、従来の発明の関心は、専ら、操作ハンドルの回動軸のハンドル側軸端構造に集中しており、発射ばね側の軸構造については、問題点が看過されていた。即ち、従来の嵌合構造では、軸と軸孔をきっちりと合わせて嵌合させなければならず、嵌合がしにくいという問題、回転軸の強度の問題、回転部材の動作の安定性の問題等、従来の軸受け構造には問題があった。
【課題を解決するための手段】
【０００４】
請求項１の発明は、上記問題に鑑みなされたものであり、回転部材と、回転部材の軸方向に設けた断面が円形の回転軸と、装置本体に回動自在の取り付けられ、軸孔の横断面が円形であり前記回転軸が前記軸孔に嵌め込まれる受け軸と、を備え、前記回転軸及び受け軸が一体的に回動する遊技機の軸受け構造において、前記回転軸の軸端部に軸方向に形成される凹部が、軸芯を通る軸方向の基準面に平行な第１の平面を含み、前記軸端部が、前記第１の平面に連続する、半円を超える円弧長を有する円弧形状の第１の曲面を備え、前記受け軸の軸方向に前記軸孔を部分的に塞ぐように形成された閉塞部が、軸芯を通る軸方向の基準面に平行な第２の平面を備え、前記受け軸の内側の側面に、前記第２の平面に連続する、半円を超える円弧長を有する円弧形状の第２の曲面を備え、該第２の曲面から軸孔に対して突出する凸部を備えることを特徴とする遊技機の軸受け構造とする。
ここでいう回転には、時計方向及び／又は反時計方向への回転、或いは、時計方向又は反時計方向への往復的な回転（回動）も含む。
請求項２の発明は、前記第２の曲面側の受け軸部分を貫通するねじ孔を設け、該ねじ孔にねじを螺合させるものとする。
【発明の効果】
【０００５】
請求項１の発明によれば、回転軸を受け軸に嵌合し易くなる。また、回転部材の強度が高まり、動作の安定性が増大する。
請求項２の発明によれば、回転軸の強度を一層高めることができる。
【発明を実施するための最良の形態】
【０００６】
本発明実施形態の遊技機の軸受け構造を適用した発射装置１は、図１乃至図４に示す通り、回転部材としての発射ハンドル２と、発射ハンドル２の軸方向に設けた断面が円形の回転軸としてのハンドル軸３と、発射装置本体４に回動自在の取り付けられ、軸孔５の横断面が円形でありハンドル軸３が発射装置本体４に嵌め込まれる受け軸６と、を備え、ハンドル軸３及び受け軸６が一体的に回動するものである。また、ハンドル軸３の軸端部７に軸方向に形成される凹部８が、軸芯を通る軸方向の基準面Ｓに平行な第１の平面９を含んでいる。この平面は長方形状である。軸端部７が、第１の平面９に連続する、半円を超える円弧長を有する円弧形状の第１の曲面１０を備えている。
【０００７】
また、受け軸６の軸方向に軸孔５を部分的に塞ぐように形成された閉塞部１１が、軸芯を通る軸方向の基準面Ｖに平行な第２の平面１２を備えている。この平面１２は長方形状である。この第２の平面１２に第１の平面が嵌め込まれる。受け軸６の内側側面に、第２の平面１２に連続する、半円を超える円弧長を有する円弧形状の第２の曲面１３を備えている。この第２の曲面１３に第１の曲面１０が嵌め込まれる。この第２の曲面１３から軸孔５に対して半径方向内側に突出する複数の凸部１４を備える。第１の曲面１０が凸部１４が当接する。さらに、第２の曲面１３側の受け軸部分１５を貫通するねじ孔１６を設け、ねじ孔１６にねじ１７を螺合させるものである。
【０００８】
図４に示す通り、ねじ１７がねじ孔１６にねじ込まれており、第２の曲面１３から外方に突出しないようにしてある。さらに、ねじ込まれたねじ１７は、凸部１４とともに第１の曲面１０を押圧するようにしてある。受け軸６は基部に終端壁２３を備え、終端壁２３の端受面２４にハンドル軸３の突端面２１が当たるようになっている。
【０００９】
凸部１４は、図４に示す通り、横断面が半円形であり、軸方向に直線的に延び出している。凸部１４にハンドル軸３を嵌め込むときに、凸部１４から第１の曲面１０に対して、部分的に圧力が加わるようになっている。
【００１０】
ハンドル軸３の軸端には先端に向かって傾斜するテーパ面２０が形成され、端面に突端面２１が形成されている。また、第１の平面９の連続して、基部に向かって斜め上に傾斜する傾斜面２２が形成されている。図２(ａ)に示す通り、基準面Ｓから偏移して設定された第１の平面９によって、凹部８の無い部分が径Ｄ1（９ｍｍ）、凹部８のある部分の径Ｄ2（７ｍｍ）に設定してある。()内の数値は例示であり、これに限定されない。
【００１１】
図１及び図３に示す通り、受け軸６は、発射装置本体４に固定された筒状の係止体２５に収容されて、係止体２５内を摺動しながら回動するようになっている。
【００１２】
以上、本実施形態によると、第１の平面９と第２の平面１２を合わせるか、または、第１の曲面１０と第２の曲面１３とを合わせることによって、ハンドル軸３を軸孔５へ嵌めこみやすくなる。また、嵌合したときに、ハンドル軸３、受け軸６の強度が増す。さらに、発射ハンドル２の操作の安定性が増大する。
【００１３】
なお、上記に説明した本実施形態は、本発明者により採用された技術的思想の創作の代表例である。これら技術は本発明の実施のための好ましい実施形態の例示であり、また、本技術分野に属する者あれば、本発明の開示に鑑みて、本発明の精神及び意図された要旨から離れることなく、多数の改良、変更、追加等が可能である。例えば、凸部１４は単数でも複数でもよい。凸部１４の位置、形状、寸法は、配置面積等は、図示に限定されることはない。また、凸部１４はレール状ではあるが、散点状又は島状に規則的又は不規則に配置してもよい。凸部１４の配置方向は軸方向でも半径方向でもかまわない。凸部１４の頂部は、軸方向と平行であるが、傾斜を設けてもよい。例えば、凸部１４は軸孔５の奥側に行くほど、頂部が高くなるように設定してもよい。さらに、凸部１４の横断面の形状は、これに限定されず、断面が角形、台形、楕円形、三角形等、適宜設定され得る。さらに、本発明は、発射装置に限らず、賞球モータ、発射モータ等の駆動部等の軸受け構造に適用できる。
【図面の簡単な説明】
【００１４】
【図１】本発明実施形態の遊技機の発射装置の斜視図である。
【図２】（ａ）は同発射装置のハンドル軸の軸端部の右側面図、(ｂ)は同横断面図、（ｃ）は同平面図、（ｄ）は側面図である。
【図３】（ａ）は同発射装置の係止体に収容された受け軸の正面図、（ｂ）は、同受け軸の横断面図である。
【図４】（ａ）は受け軸の側面図、（ｂ）は同横断面図、（ｃ）は同縦断面図である。
【符号の説明】
【００１５】
１…発射装置  ２…発射ハンドル（回転部材）  ３…ハンドル軸（回転軸）
４…発射装置本体  ５…軸孔  ６…受け軸  ７…軸端部  ８…凹部
９…第１の平面  １０…第１の曲面  １１…閉塞部  １２…第２の平面
１３…第２の曲面  １４…凸部  １５…受け軸部分  １６…ねじ孔
１７…ねじ  ２０…テーパ面  ２１…突端面  ２２…傾斜面  ２３…終端壁
２４…端受面  ２５…係止体
【図１】
2007283034.tif 000003
【図２】
2007283034.tif 000004
【図３】
2007283034.tif 000005
【図４】
2007283034.tif 000006